(57)【特許請求の範囲】
【請求項１】
燃料ガスを燃焼するこんろバーナを左右に備え、
上記こんろバーナの火力を調節する火力調節手段を備えたガステーブルこんろにおいて、
上記各こんろバーナのガス通路に、上記火力調節手段により調節される燃焼量の上限値を所定値に下げる上限カット手段をそれぞれ設け、
この上限カット手段を作動させることにより、壁側となるこんろバーナの壁への過熱を防止することを特徴とするガステーブルこんろ。
【請求項２】
上記上限カット手段により所定値に下げた後の燃焼量の上限値は、２０００〜２５００キロカロリ／時とすることを特徴とする請求項１に記載のガステーブルこんろ。
【請求項３】
燃料ガスを燃焼するこんろバーナと、
上記こんろバーナの火力を調節する火力調節手段を備えたガステーブルこんろにおいて、
上記各こんろバーナのガス通路に、上記火力調節手段により調節される燃焼量の上限値を所定値に下げる上限カット手段と、壁までの距離を検出する壁検出手段とをそれぞれ設け、
上記壁検出手段により壁までの距離が所定値以下と検出された場合、上記上限カット手段を作動させることを特徴とするガステーブルこんろ。
【発明の詳細な説明】
【０００１】
【発明の属する技術分野】
本発明は、調理用のこんろバーナを有するガステーブルこんろに関する。
【０００２】
【従来の技術】
従来より、台所にガステーブルこんろを設置する場合、こんろバーナの火炎による火災予防対策として、壁からこんろバーナまでの離隔距離を充分に取ったり、壁に防熱板を設けることが知られている。あるいは、壁に近い側のバーナの火力を絞って使用し、バーナ火炎による壁への加熱の影響を低減することが知られている。
【０００３】
【発明が解決しようとする課題】
しかしながら、台所によっては壁からの離隔距離が充分とれないケースが多く、その場合壁側に防熱板を設けて火災防止をするのであるが、その実施率は低く、稀ではあるが壁の木部が次第に炭化して最後には発火する低温火災があった。また、火力を絞って使用することもユーザーがうっかり忘れることもあり完全とは言えなかった。
本発明のガスこんろは、上記課題を解決し、こんろバーナの火炎による壁の過熱を防止し、常に安心して使えるガステーブルこんろを提供することを目的とする。
【０００４】
【課題を解決するための手段】
上記課題を解決する本発明の請求項１に記載のガステーブルこんろは、
燃料ガスを燃焼するこんろバーナを左右に備え、
上記こんろバーナの火力を調節する火力調節手段を備えたガステーブルこんろにおいて、
上記各こんろバーナのガス通路に、上記火力調節手段により調節される燃焼量の上限値を所定値に下げる上限カット手段をそれぞれ設け、
この上限カット手段を作動させることにより、壁側となるこんろバーナの壁への過熱を防止することを要旨とする。
【０００５】
また、請求項２に記載のガステーブルこんろは、
上記上限カット手段により所定値に下げた後の燃焼量の上限値は、２０００〜２５００キロカロリ／時とすることを要旨とする。
【０００６】
また、請求項３に記載のガステーブルこんろは、
燃料ガスを燃焼するこんろバーナと、
上記こんろバーナの火力を調節する火力調節手段を備えたガステーブルこんろにおいて、
上記各こんろバーナのガス通路に、上記火力調節手段により調節される燃焼量の上限値を所定値に下げる上限カット手段と、壁までの距離を検出する壁検出手段とをそれぞれ設け、
上記壁検出手段により壁までの距離が所定値以下と検出された場合、上記上限カット手段を作動させることを要旨とする。
【０００７】
上記構成を有する本発明の請求項１のガスこんろは、火力調節手段によりバーナの火力、つまり、燃焼量が調節されるが、必要に応じて上限カット手段を作動させることにより、その燃焼量の上限が所定値まで下がる。このため、調理中に火力調節手段を調整して強火にしても本来の最大燃焼量とならず、こんろバーナの火炎による壁への過熱が防止される。
【０００８】
また、請求項２記載のガスこんろは、燃焼量上限カット手段により上限値を下げた後の最大燃焼量の設定値を、壁の加熱にあまり影響を与えないと考えられる２０００〜２５００キロカロリー/時としたので、調理性能を損なうことなく、こんろバーナの火炎による壁への過熱が防止される。
【０００９】
また、請求項３記載のガスこんろは、壁検出手段と燃焼量上限カット手段とを設け、壁までの距離が所定値以下と検出された場合、燃焼量の上限を自動的に下げる。このため、上限カットの必要があるのに操作しなかったり、上限カットの必要がないのに操作してしまったりする誤操作がなくなる。
【００１０】
【発明の実施形態】
以上説明した本発明の構成・作用を一層明らかにするために、以下本発明のガステーブルこんろの好適な実施例について説明する。
図１は一実施例としての２口ガステーブルこんろの概略構成図である。
２口ガステーブルこんろは、点火操作を行なう点火部１０と、燃料ガスを燃焼させる燃焼部２０とからなるこんろをそれぞれ左右に備える。
点火部１０は、前面の操作パネル１７と、プッシュ式の点火ボタン１１と、配管（図示略）から供給される燃料ガスを取入れるガス入口１９と、その下流で開閉するマグネット安全弁２２と、同じくその下流で燃料ガスの流路を開閉するメイン弁２３と、メイン弁２３を途中に挿通し先端でマグネット安全弁２２を押し開くスピンドル１８と、さらにその下流で燃焼量の上限を下げる燃焼量上限カット装置３０と、さらにその下流で燃焼部２０への燃料ガス流量を火力調節装置の調節レバー（図示略）で所定の範囲を調節するニードル弁２４とを備える。
燃焼量上限カット装置３０は、直交する大小のガス通路３１（大…３１Ａ，小…３１Ｂ）を持った閉子３２と、閉子３２を回転させて大小のガス通路３１の切換えを行なう切換レバー３３と、切換レバー３３と一体的に形成された歯車回転体３４を備える。
燃焼部２０は、燃料ガスと１次空気を混入して混合するバーナ本体２９と、バーナ本体２９頭部に載置されて両者の隙間に炎口を形成するバーナヘッド２７と、燃料ガスをバーナ本体２９へ噴出するノズル２１と、高電圧を印加されて放電することにより混合ガスに点火する電極２６と、バーナの炎を監視する熱電対２８とを備える。
また、ガステーブルこんろの側面には、図３に示すように、壁検出棒４０が設けられる。壁検出棒４０は、左右摺動可能に設けられた棒体の動きをラック，ピニオンにより燃焼量上限カット装置３０の回転動作に変換する。従って、壁検出棒４０の位置に応じて、上限カット装置３０の閉子３２に設けられた大小のガス通路３１（大…３１Ａ，小…３１Ｂ）は切換る。また、壁のない場合、壁検出棒４０は、ばね４２により付勢された最初の位置に設定される。
【００１１】
燃料ガスは、点火部１０を経由してバーナ２９へと導かれ、以下のようにして点火され燃焼がおこなわれる。
まず操作ボタン１１を押すと、その後方の点火レバー１２を介してボタン軸１３が押される。これにより、スピンドル１８が摺動して、燃料ガス通路のメイン弁２３，マグネット安全弁２２を押し開く。燃料ガスは、配管（図示略）より燃料ガス通路を経由し、ニードル弁２４に到着し、そこで、火力調節装置のレバー操作により流量が調整され、ノズル２１に達する。そして、ノズル２１からバーナ２９へ噴出される。同時に、ボタン軸１３の動きに連動して、電極２６において放電が行なわれる。
バーナ２９炎口から放出される燃料ガスと一次空気との混合ガスは、この放電により着火する。そして、操作ボタン１１を離しても、ボタン軸１３が後退途中で係合保持されてメイン弁２３は開弁保持される。同時に、熱電対２８がその炎を感知しマグネット安全弁２２も開いたまま保持されるので、燃料ガスが連続して供給され、燃焼が続行する。
操作ボタン１１を再度押すと、ボタン軸１３の係合保持がはずれ、スピンドル１８が後退してメイン弁２３が閉じ消火する。同時にマグネット安全弁２２も閉じる。
【００１２】
燃焼量上限カット装置は、図２（イ），（ロ）に示すように、直交する大小のガス通路３１（大…３１Ａ，小…３１Ｂ）を持った閉子３２をガス流路内に設け、切換レバー３３を回転させて大小のガス通路３１の切換えを行なう。
大小のガス通路３１は、基準ガス圧にてバーナ２９の定格燃焼量の燃料ガスを充分に流すことができる大きいガス通路３１Ａと、基準ガス圧にてバーナ２９に定められた最大燃焼量２０００〜２５００キロカロリー/時の燃料ガスしか流さない小さいガス通路３１Ｂとからなる。
【００１３】
次に、壁検出棒４０の動作説明を行なう、ガステーブルこんろを壁に近接して設置した場合、ガステーブルこんろの側面に突出して設けられた壁検出棒４０は、壁に押されて移動すると共に、燃焼量上限カット装置３０の歯車回転体３４を回転させてガス通路３１の切換えを自動的に行なう。また、壁検出棒４０は、戻しばね４２で初期の突出位置に戻るように付勢されているので、壁から所定の位置以上離れている場合は、燃焼量上限カット装置３０は初期の状態、即ち、上限が絞られていない、図２（イ）の状態を保つので、こんろバーナは定格の燃焼量で燃焼する。
また、壁がなくても、切換レバー３３を設けているので手動操作により閉子３２を回転させて大小のガス通路３１の切換えを行なうこともできる。
【００１４】
以上説明したように、本実施例のガステーブルこんろによれば、こんろバーナのガス通路に燃焼量上限カット装置３０を設け、必要に応じて火力調節装置の上限値を所定値まで下げることができるようにしたので、こんろの設置状況に応じて火炎の大きさに気を使い、わざわざ火力調整装置の調整をする必要もなく、使い勝手が良い。また、燃焼量上限カット装置３０を左右こんろに設けたので、引っ越し等により壁が左右のいずれの側にきても、バーナの燃焼量切換えに手間がかからない。
また、製造者にとっても壁の位置に対する２口ガステーブルこんろを２種類製造する必要がない。即ち、右に大バーナを備え、左に小バーナを備えたこんろと、逆に右に小バーナを備え、左に大バーナを備えたこんろとの２種類を製造する必要がなくなり１種類にできるので生産効率があがる。
また、燃焼量上限カット手段により上限値を下げた後の最大燃焼量の設定値を、壁の加熱にあまり影響を与えず、且つ、調理性能に必要な燃焼量であると考えられる２０００〜２５００キロカロリ/時としたので、こんろバーナの火炎による壁への過熱が防止され、安全に使用できる。
また、壁検出装置を設け、壁までの距離が所定値以下と検出された場合、燃焼量の上限を自動的に下げるようにしたので、上限カットの必要があるのに操作しなかったり、上限カットの必要がないのに操作してしまったりする誤操作がなくなり、火炎による壁への過熱は防止され、安全に使用できる。
以上、本発明の実施例について説明したが、本発明はこうした実施例に何等限定されるものではなく、例えば、燃焼量の切換えは大小だけではなく壁からの距離に応じて連続的に切り換るものでも良く、本発明の趣旨を逸脱しない範囲において、種々なる態様で実施し得ることは勿論である。
【００１５】
【発明の効果】
以上詳述したように、本発明の請求項１記載のガステーブルこんろによれば、こんろバーナのガス通路に燃焼量の上限カット手段を設け、必要に応じて火力調節装置の上限値を所定値まで下げることができるようにしたので、こんろの設置状況に応じて火炎の大きさに気を使い、わざわざ火力調整装置の調整をする必要もなく、使い勝手が良い。
また、本発明の請求項２記載のガステーブルこんろによれば、燃焼量の上限カット手段により上限値を下げた後の最大燃焼量の設定値を、２０００〜２５００キロカロリー/時としたので、調理にあまり支障なく、しかも、壁への過熱が防止されるので、安全である。
また、本発明の請求項３記載のガステーブルこんろによれば、壁検出手段を設け、こんろバーナの燃焼量の上限カットを自動的に行なうので、上限カットの必要があるのに操作しなかったり、上限カットの必要がないのに操作してしまったりする誤操作がなくなり、火炎による壁への過熱は防止され、安全に使用できる。
【図面の簡単な説明】
【図１】実施例としてのガステーブルこんろの概略構成図である。
【図２】実施例としての燃焼量切換装置の説明図である。
【図３】実施例としての壁検出手段の概略構成図である。
【符号の説明】
１０      点火部
２０      燃焼部
２２      マグネット安全弁
２３      メイン弁
３０      燃焼量上限カット装置
３１      大小ガス通路
３２      閉子
３３      切換レバー
３４      歯車回転体
４０      壁検出棒
４２      戻しばね
【図１】
0003748461.tif 000002
【図２】
0003748461.tif 000003
【図３】
0003748461.tif 000004